(57)【要約】【課題】受信装置において、アンテナのインピーダンスが変化して信号の反射量が多くなると、音声が途切れたり、表示部に表示される文字が消えたり、間違った文字を表示することがある。【解決手段】アンテナとインピーダンス変更素子とを備えるインピーダンスマッチング部と、一定の電圧を発生する定電圧発生部と、予め定めた周波数の交流信号を発生する可変電圧発生部と、インピーダンス変更素子に供給する電圧を切り換える供給電圧切換部とを備え、信号復調部は、信号を復調できない場合エラー信号を出力し、制御部は、信号復調部がエラー信号を出力していない場合はインピーダンス変更素子に定電圧発生部が発生する定電圧を供給し、信号復調部がエラー信号を出力した場合はインピーダンス変更素子に可変電圧発生部が発生する交流信号を供給するように供給電圧切換部を切り換える制御を行う。【選択図】　　　図１
2004072284.tif 000002
【特許請求の範囲】
【請求項１】
アンテナと、インピーダンス変更素子とを備えるインピーダンスマッチング部と、前記アンテナが受信した信号を増幅する信号増幅部と、該信号増幅部が増幅した信号を復調すると共に前記信号増幅部が増幅した信号を復調できない場合エラー信号を出力する信号復調部と、音声ファイル又は文字ファイルを記憶するメモリ部と、該メモリ部から読み出された音声ファイル又は文字ファイルを音声又は文字に変換して出力する出力部と、一定電圧の直流信号を発生する定電圧発生部と、予め定めた周波数の交流信号を発生する可変電圧発生部と、前記インピーダンス変更素子に供給する信号を前記直流信号又は前記交流信号のいずれか一方に切り換える供給電圧切換部と、前記メモリ部に記憶されている音声ファイル又は文字ファイルの中から前記信号復調部が復調した信号に対応する音声ファイル又は文字ファイルを読み出す制御を行うと共に前記信号復調部が前記エラー信号を出力していない場合は前記インピーダンス変更素子に前記直流信号を供給し前記信号復調部が前記エラー信号を出力した場合は前記インピーダンス変更素子に前記交流信号を供給するように前記供給電圧切換部を切り換える制御を行う制御部とを備えることを特徴とする受信装置。
【請求項２】
アンテナと、インピーダンス変更素子とを備えるインピーダンスマッチング部と、前記アンテナが受信した信号を増幅する信号増幅部と、該信号増幅部が増幅した信号を復調すると共に前記信号増幅部が増幅した信号を復調できない場合エラー信号を出力する信号復調部と、音声ファイル又は文字ファイルを記憶するメモリ部と、該メモリ部から読み出された音声ファイル又は文字ファイルを音声又は文字に変換して出力する出力部と、一定電圧の直流信号を発生する定電圧発生部と、複数の周波数の交流信号を発生する可変電圧発生部と、前記インピーダンス変更素子に供給する電圧を前記直流信号又は前記交流信号のいずれか一方に切り換える供給電圧切換部と、前記メモリ部に記憶されている音声ファイル又は文字ファイルの中から前記信号復調部が復調した信号に対応する音声ファイル又は文字ファイルを読み出す制御を行い前記信号復調部が前記エラー信号を出力していない場合は前記インピーダンス変更素子に前記直流信号を供給し前記信号復調部が前記エラー信号を出力した場合は前記インピーダンス変更素子に前記交流信号を供給するように前記供給電圧切換部を切り換える制御を行うと共に前記インピーダンス変更素子に前記交流信号を供給してから又は前記交流信号の周波数を変更してから予め定めた時間経過しても前記エラー信号が発生している場合は前記交流信号の周波数を変更する制御を行う制御部とを備えることを特徴とする受信装置。
【発明の詳細な説明】
【０００１】
【発明の属する技術分野】
本発明は、電波により送信される信号を受信する受信装置に関する。
【０００２】
【従来の技術】
テレビジョン受信機等において、誘電体アンテナに直列に可変容量ダイオードを接続し、電圧発生回路が受信チャンネルに適合した電圧を可変容量ダイオードに供給して同調受信するアンテナ回路が特開平１０−２２４６９８公報に開示されている。特開平１０−２２４６９８号公報に開示されている技術によれば、受信装置のアンテナを短くすることができ、携帯しやすい受信装置を得ることができる。
【０００３】
最近、博物館や遊園地等において、入場者に受信装置を携帯させ、展示物やアトラクションの説明を音声や文字により提供することができる信号送受信システムが用いられている。
【０００４】
信号送受信システムにおいては、送信装置が、展示物やアトラクションを説明する音声ファイル又は文字ファイルに対応するコード信号を無線で送信する。受信装置は、このコード信号を受信し、コード信号に対応した音声ファイルを再生して音声をスピーカから出力したり、コード信号に対応した文字ファイルを再生して表示部に文字を出力する。
【０００５】
送信装置が送信する信号は、音声ファイル又は文字ファイルに対応したコード信号をデジタル信号に変換した信号であり、送信装置は、同じ内容の信号を予め定めた間隔で繰り返し送信する。受信装置は、繰り返し送信される信号のうちのいずれかの信号を受信することにより、受信した信号に基づいてコード信号に対応した音声ファイル又は文字ファイルをメモリから読み出して再生し、音声又は文字として出力することができる。
【０００６】
【発明が解決しようとする課題】
前述した信号送受信システムにおける受信装置は、使用者が受信装置を携帯して移動する。このため、受信装置のアンテナと人体との距離が変化することによりインピーダンスが変化し、インピーダンスの整合がとれない場合がある。
【０００７】
一般的に、受信装置のアンテナのインピーダンスは、予め定められた条件（地面や人体（人体は、地面と同等）から所定の距離Ｌだけ離れた状態）で決定される。予め定められた条件においては、理想のインピーダンスマッチングとなり、最も受信感度が良くなる。
【０００８】
信号を伝送する場合に、信号送信側と信号受信側のインピーダンスが整合（マッチング）していると、信号がレベル低下なく伝送される。信号受信側のインピーダンスと信号送信側のインピーダンスとが異なり、信号送信側と信号受信側のインピーダンスが整合していない場合、信号送信側が送信した電波信号を信号受信側が反射する。信号の反射が発生すると、信号受信側が受信する信号の信号レベルが、送信時の信号レベルより低下する。
【０００９】
図６は、従来の受信装置と人体との距離の関係を示す図である。
図６（ａ）は、アンテナ１３と人体１４との距離Ｌがａの状態を示し、受信装置１２のアンテナ１３のインピーダンスは、この状態で整合するよう決定される。アンテナ１３と人体１４との距離Ｌがｂで一定であると（人が静止している）、アンテナ１３のインピーダンスが５０オームで一定になり、信号の反射量が最小となり、アンテナ１３が信号を効率よく受信することができる。
【００１０】
しかし、使用者が受信装置１２を携帯して移動すると、受信装置１２が揺れ、図６（ｂ）に示すようにアンテナ１３と人体１４との距離Ｌがｂ（ａより短い）の状態や、図６（ｃ）に示すように、アンテナ１３と人体１４との距離Ｌがｃ（ａより長い）の状態を繰り返す。
【００１１】
図６（ｂ）又は図６（ｃ）の状態では、アンテナ１３の誘導性リアクタンスが増加したり容量性リアクタンスが増加してインピーダンスが変化し、インピーダンスが整合しなくなる。そうすると、信号の反射量が多くなりアンテナ１３が信号を効率よく受信できず信号レベルが低くなり、電界強度が低い場合には信号復調部が信号を復調できなくなる。
【００１２】
この結果、使用者が受信装置を携帯して歩いているときに、スピーカ等から出力される音声が途切れたり、表示部に表示される文字が消えたり、間違った文字を表示することがある。
【００１３】
本発明は、アンテナのインピーダンスを変化させることにより、受信する信号の反射量を少なくし、音声が途切れたり、表示部に表示される文字が消えたり、間違った文字を表示することを低減することができる受信装置を提供することを目的とする。
【００１４】
【課題を解決するための手段】
そのため請求項１記載の本発明の受信装置は、アンテナと、インピーダンス変更素子とを備えるインピーダンスマッチング部と、前記アンテナが受信した信号を増幅する信号増幅部と、該信号増幅部が増幅した信号を復調すると共に前記信号増幅部が増幅した信号を復調できない場合エラー信号を出力する信号復調部と、音声ファイル又は文字ファイルを記憶するメモリ部と、該メモリ部から読み出された音声ファイル又は文字ファイルを音声又は文字に変換して出力する出力部と、一定電圧の直流信号を発生する定電圧発生部と、予め定めた周波数の交流信号を発生する可変電圧発生部と、前記インピーダンス変更素子に供給する信号を前記直流信号又は前記交流信号のいずれか一方に切り換える供給電圧切換部と、前記メモリ部に記憶されている音声ファイル又は文字ファイルの中から前記信号復調部が復調した信号に対応する音声ファイル又は文字ファイルを読み出す制御を行うと共に前記信号復調部が前記エラー信号を出力していない場合は前記インピーダンス変更素子に前記直流信号を供給し前記信号復調部が前記エラー信号を出力した場合は前記インピーダンス変更素子に前記交流信号を供給するように前記供給電圧切換部を切り換える制御を行う制御部とを備えることを特徴とする。
【００１５】
また、請求項２記載の本発明の受信装置は、アンテナと、インピーダンス変更素子とを備えるインピーダンスマッチング部と、前記アンテナが受信した信号を増幅する信号増幅部と、該信号増幅部が増幅した信号を復調すると共に前記信号増幅部が増幅した信号を復調できない場合エラー信号を出力する信号復調部と、音声ファイル又は文字ファイルを記憶するメモリ部と、該メモリ部から読み出された音声ファイル又は文字ファイルを音声又は文字に変換して出力する出力部と、一定電圧の直流信号を発生する定電圧発生部と、複数の周波数の交流信号を発生する可変電圧発生部と、前記インピーダンス変更素子に供給する電圧を前記直流信号又は前記交流信号のいずれか一方に切り換える供給電圧切換部と、前記メモリ部に記憶されている音声ファイル又は文字ファイルの中から前記信号復調部が復調した信号に対応する音声ファイル又は文字ファイルを読み出す制御を行い前記信号復調部が前記エラー信号を出力していない場合は前記インピーダンス変更素子に前記直流信号を供給し前記信号復調部が前記エラー信号を出力した場合は前記インピーダンス変更素子に前記交流信号を供給するように前記供給電圧切換部を切り換える制御を行うと共に前記インピーダンス変更素子に前記交流信号を供給してから又は前記交流信号の周波数を変更してから予め定めた時間経過しても前記エラー信号が発生している場合は前記交流信号の周波数を変更する制御を行う制御部とを備えることを特徴とする。
【００１６】
【発明の実施の形態】
図１は、本発明の受信装置の一実施例の概略構成を示す図である。
受信装置は、アンテナ１、インピーダンスマッチング部２、信号増幅部３、信号復調部４、出力部５、メモリ部６、定電圧発生部７、可変電圧発生部８、供給電圧切換部９、制御部１０を備える。
【００１７】
インピーダンスマッチング部２は、コイル（誘導性リアクタンス）２ａ、コンデンサ（容量性リアクタンス）２ｂ、可変容量コンデンサ２ｃ、抵抗２ｄを備える。可変容量コンデンサ２ｃは、インピーダンス変更素子であり、例えば、バリアブルギャップコンデンサ等である。アンテナ１と、コンデンサ２ｂ及び可変容量コンデンサ２ｃは、直列に接続される。コイル２ａは、アンテナ１と後述する信号増幅部３との間に接続される。抵抗２ｄは、コンデンサ２ｂ及び可変容量コンデンサ２ｃの接続部と後述する供給電圧切換部８との間に接続される。
【００１８】
本実施例では、アンテナ１のインピーダンスを変化させるインピーダンス変更素子として、可変容量コンデンサを用いているが、可変容量ダイオード等のアンテナ１のインピーダンスを変化させることが可能な素子を用いてもよい。
【００１９】
信号増幅部３は、アンテナ１が受信した信号を予め定めたレベルに増幅する。
【００２０】
信号復調部４は、信号増幅部３が増幅した信号を復調する。信号復調部４は、信号増幅部３が増幅した信号を復調できない場合、エラー信号を後述する制御部１０に出力する。本実施例において、信号復調部４が受信する信号は、後述するメモリ部６が記憶している音声ファイルに対応するコード信号（例えば、Ｆｒｅｑｕｅｎｃｙ　Ｓｈｉｆｔ　Ｋｅｙ信号）であり、信号復調部４は、受信した信号をコード信号に復調する。
【００２１】
出力部５は、メモリ部６から読み出された音声ファイルをアナログ音声信号に変換し、スピーカ（図示せず）から音声として出力する。
【００２２】
本実施例では、出力部５は、メモリ部６から読み出された音声ファイルを音声に変換して出力するが、メモリ部６に文字ファイルが記憶されている場合、メモリ部６から読み出された文字ファイルを文字に変換して表示部（図示せず）に出力する。
【００２３】
メモリ部６は、コード信号に対応付けられた複数の音声ファイルを記憶する。
【００２４】
定電圧発生部７は、例えば電池などであり、一定電圧の直流信号を発生する。
【００２５】
可変電圧発生部８は、予め定めた周波数の交流信号を発生する。可変電圧発生部８が出力する信号は、直流バイアス電圧が加算された周波数０．５Ｈｚ〜５Ｈｚの正弦波や三角波である。人がゆっくり歩く周期は、ほぼ０．５Ｈｚの周波数に相当し、人が普通に歩く周期は、ほぼ１Ｈｚの周波数に相当し、人が早歩きをする周期は、ほぼ５Ｈｚの周波数に相当する。本実施例では、可変電圧発生部８は、人が普通に歩く周期に相当する１Ｈｚの周波数の交流信号を発生するものとする。
【００２６】
供給電圧切換部９は、後述する制御部１０の制御により、インピーダンスマッチング部２の可変容量コンデンサ２ｃに供給する信号を、定電圧発生部７が発生する直流信号と可変電圧発生部８が発生する交流信号のいずれか一方に切り換える。
【００２７】
制御部１０は、信号復調部４が復調したコード信号に基づいてメモリ部６に記憶されている音声ファイルの検索を行い、コード信号に対応した音声ファイルを読み出し出力部５に出力する制御を行う。
【００２８】
制御部１０は、信号復調部４がエラー信号を出力していない場合、供給電圧切換部９を制御し、インピーダンス部２の可変容量コンデンサ２ｃに供給する信号を定電圧発生部７が発生する直流信号に切り換え、信号復調部４がエラー信号を出力した場合、供給電圧切換部９を制御し、インピーダンス部２の可変容量コンデンサ２ｃに供給する信号を可変電圧発生部８が発生する交流信号に切り換える制御を行う。
【００２９】
本実施例の受信装置の動作について説明する。
図２は、本実施例の受信装置の動作を説明するための図である。図２（ａ）は、使用者が移動している場合のアンテナと人体との距離の時間変化を示し、図２（ｂ）は、図２（ａ）の状態において受信・復調可能な信号を示し、図２（ｃ）は、可変電圧発生部が発生する交流信号を示し、図２（ｄ）は、インピーダンス部に交流信号が供給されている場合のアンテナと人体との距離の時間変化を示し、図２（ｅ）は、図２（ｄ）の状態において受信・復調可能な信号を示す。図２（ａ）及び図２（ｄ）において、縦軸は、アンテナと人体との距離を示し、０はアンテナと人体とが接触している場合であり、「短」から「長」に向かってアンテナと人体との距離が離れることを示す。
【００３０】
受信装置の電源をオンした状態では、制御部１０は、供給電圧切換部９を定電圧発生部７側に切り換えており、インピーダンスマッチング部２の可変容量コンデンサ２ｃには定電圧発生部７が発生した定電圧が供給される。アンテナ１のインピーダンスは、インピーダンスマッチング部２のコイル２ａ、コンデンサ２ｂ、可変容量コンデンサ２ｃ及び抵抗２ｄで定まる。
【００３１】
アンテナ１が信号を受信し、信号増幅部３が信号を増幅する。信号復調部４は信号増幅部３が増幅した信号を復調する。制御部１０は、復調されたコード信号に基づいてメモリ部６に記憶されている音声ファイルの検索を行い、コード信号に対応した音声ファイルを読み出し出力部５に出力し、出力部５は、音声ファイルを音声に変換して出力する。
【００３２】
使用者が受信装置を携帯して歩いている場合、人体とアンテナ１との距離が図２（ａ）に示すように変化する。インピーダンスマッチング部２には一定電圧が供給されるため、インピーダンスは一定である。アンテナのインピーダンスが一定であるため、信号を復調することが可能な範囲は、図２（ａ）に示すように一定の幅の範囲となる。
【００３３】
信号の復調可能な範囲に相当する期間では信号を復調することができるが、信号の復調可能な期間以外の期間では、インピーダンスが整合していないため信号の反射量が多くなり信号レベルが低下する。そうすると、信号の復調可能な範囲に相当する期間において、信号を復調することができない場合が多くなる。
【００３４】
図２（ｂ）に示すように、信号の復調可能な範囲が一定であるため、人体とアンテナ１との距離の変化に対して信号の復調可能な範囲が狭くなる。そうすると、信号を受信することができない又は受信しても復調することができなくなる。このような場合、信号復調部４は、エラー信号を制御部９に出力する。
【００３５】
制御部９は、信号復調部４がエラー信号を出力すると、供給電圧切換部９を可変電圧供給部８側に切り換え、インピーダンスマッチング部２の可変容量コンデンサ２ｃに、図２（ｃ）に示す交流信号を供給する。本実施例において、交流信号は、周波数１Ｈｚの交流信号とする。可変容量コンデンサ２ｃは、図２（ｃ）に示す交流信号の電圧に対応して容量が変化し、可変容量コンデンサ２ｃの容量が変化すると、アンテナ１のインピーダンスも変化する。
【００３６】
交流信号の電圧に基づいてアンテナ１のインピーダンスが変化するため、図２（ｄ）示すように、信号の復調可能な範囲も変化する。そうすると、信号の復調可能な範囲に相当する期間も、図２（ｅ）に示すように、図２（ａ）に示すインピーダンス部２に一定電圧を供給している場合より多くの無線信号を受信することが可能になる。
【００３７】
このように、使用者が受信装置を携帯して歩きインピーダンスが変化しても、可変容量コンデンサ２ｃに供給する電圧を変化させ、信号の復調可能な期間を増加させることができるため、音声が途切れたり、表示部に表示される文字が消えたり、間違った文字を表示することを低減することができる。
【００３８】
ここで、人が歩く場合に、人体とアンテナとの距離の変化が、交流信号によるインピーダンスの変化に対応せず、交流信号の位相と、人体とアンテナとの距離の変化の位相とが逆相になる場合が発生する。交流信号の位相と、人体とアンテナとの距離の変化の位相とが逆相の場合、信号を復調する期間が短くなる。しかし、人が歩く場合に、人体とアンテナとの距離の変化が正確に一定の周波数（例えば、１Ｈｚ）である可能性は低く（人が長時間一定の速度で歩く可能性は低く）、人体とアンテナとの距離の変化に対応する周波数は、ある程度の範囲（例えば、０．８Ｈｚ〜１．２Ｈｚ）で変化する。
【００３９】
このような場合、周波数１Ｈｚの交流信号の位相に対し、人体とアンテナとの距離の変化の位相とが一時的に逆相となっても、人の歩く速度に応じて人体とアンテナとの距離の変化に対応する周波数が変化し、周波数の変化に応じて位相のずれも変化し、人体とアンテナとの距離の変化の位相が交流信号の位相に近づく。そうすると、受信装置の信号の復調する期間が増加するため、受信装置は、信号を受信し復調することができる。
【００４０】
前述した実施例では、可変電圧発生部７は、予め定めた周波数（１Ｈｚ）の交流信号を発生している。インピーダンスマッチング部２に予め定めた周波数の交流信号を供給していても、人が速く歩いている場合などインピーダンスの変化する周波数が高くなり、予め定めた周波数（１Ｈｚ）ではインピーダンスが整合する期間が少なくなる場合がある。
【００４１】
このような場合、制御部１０は、信号復調部４がエラー信号を予め定めた時間継続して出力しているか否かを検出し、予め定めた時間経過してもエラー信号が出力されている場合、可変電圧発生部８が出力する交流信号の周波数を変化させるように制御してもよい。
【００４２】
図３は、本発明の受信装置の他の実施例の概略構成を示す図である。
図３に示す受信装置において、図１と異なる構成は、タイマ１１を備え、可変電圧発生部８が制御部１０の制御に基づいて複数の周波数の交流信号を発生することである。図３において、アンテナ１、インピーダンスマッチング部２、信号増幅部３、信号復調部４、出力部５、メモリ部６，定電圧発生部７、供給電圧切換部９は、図１に示す構成と同様の動作を行うため、説明を省略する。
【００４３】
図３において、制御部１０は、信号復調部４がエラー信号を出力した場合に、供給電圧切換部９を可変電圧発生部８側に切り換え、インピーダンスマッチング部２に可変電圧発生部８が発生した交流信号（１Ｈｚ）を供給するように制御する。
【００４４】
このとき、制御部１０は、タイマ１１を始動させて予め定めた時間（本実施例では、２秒間）の計測を開始する。制御部１０は、インピーダンスマッチング部２に交流信号（１Ｈｚ）を供給してから、予め定めた時間経過しても信号復調部４からエラー信号が出力されている場合、可変電圧発生部８を制御し、交流信号の周波数を高い周波数（例えば、２Ｈｚ）に変化させ、再度タイマ１１により予め定めた時間の計測を開始する。
【００４５】
制御部１０は、可変電圧発生部８の交流信号の周波数を変更する制御と、交流信号を変更した後のタイマ１１による時間の計測とを繰り返し行う。
【００４６】
制御部１０は、可変電圧発生部８の交流信号の周波数を変化させ、ある周波数において、計測している時間内に信号復調部４からエラー信号が出力されなくなると、インピーダンスが整合したと判断し、可変電圧発生部８が発生する交流信号の周波数の変更を中止する。
【００４７】
可変電圧発生部８は、制御部１０の制御により、異なる周波数の交流信号を出力する。周波数の範囲は、０．５Ｈｚ〜５Ｈｚである。
【００４８】
他の実施例における受信装置の動作について説明する。
図４は、本発明の他の実施例における送信装置から送信された信号と交流信号との関係を示す図である。図４（ａ）は、送信装置から送信された信号を示し、図４（ｂ）は、交流信号を示す。
【００４９】
電源がオンされると、制御部１０は、供給電圧切換部９を定電圧発生部７側にして、インピーダンスマッチング部２の可変容量コンデンサ２ｃに定電圧発生部７が発生した定電圧を供給する。アンテナ１のインピーダンスは、インピーダンスマッチング部２のコイル２ａ、コンデンサ２ｂ、可変容量コンデンサ２ｃ及び抵抗２ｄで定まる。
【００５０】
アンテナ１が信号を受信し、信号増幅部３が信号を増幅する。信号復調部４は信号増幅部３が増幅した信号を復調する。制御部１０は、復調されたコード信号に基づいてメモリ部６に記憶されている音声ファイルの検索を行い、コード信号に対応した音声ファイルを読み出し出力部５に出力し、出力部５は、音声ファイルを音声に変換して出力する。
【００５１】
使用者が受信装置を携帯して歩いた場合、アンテナ１と人体との距離が変化することによりアンテナ１のインピーダンスが変化し、インピーダンスの整合が取れなくなる。インピーダンスの整合が取れなくなると、信号復調部４が信号を復調できなくなり、信号復調部４は、図４（ａ）に示すように、エラー信号を制御部１０に出力する。
【００５２】
制御部１０は、信号復調部４がエラー信号を出力すると、供給電圧切換部９を可変電圧供給部８側に切り換え、図４（ｂ）に示すように、インピーダンスマッチング部２の可変容量コンデンサ２ｃに交流信号を供給すると同時に、タイマ１１による時間の計測を開始する。交流信号は、ｆ１Ｈｚの周波数の交流信号であり、可変容量コンデンサ２ｃは、交流信号の電圧に対応して容量が変化する。
【００５３】
制御部１０は、予め定めた時間ｔ１を経過しても信号復調部４からエラー信号が出力されていると、可変電圧発生部８を制御し、交流信号の周波数をｆ２Ｈｚに変更し、再度タイマ１１により時間ｔ２の計測を開始する。
【００５４】
タイマ１１による時間ｔ２の計測を開始し、予め定めた時間ｔ２を経過する前に、信号復調部４が信号を復調し、エラー信号を制御部１０に出力しなくなった時、制御部１０は、インピーダンスが整合し信号を受信し復調できたと判断し、可変電圧制御部８が発生する交流信号の周波数の変更を中止する。
【００５５】
制御部１０は、図４（ａ）に示すように、信号復調部４がエラー信号を出力しなくなり、その後に再度エラー信号を出力した場合は、信号復調部４がエラー信号を出力しなくなった時の周波数ｆ２の交流信号をインピーダンスマッチング部２に再度供給し、タイマ１１により時間ｔ３の計測を開始し、信号復調部４がエラー信号を出力しなくなるまで、周波数を高い周波数に変化させる。
【００５６】
図５は、本発明の他の実施例におけるインピーダンスマッチング部に供給する電圧を示す図である。
制御部１０は、図５に示すように、交流信号の周波数を予め定めた周波数の範囲（０．５Ｈｚ〜５Ｈｚ）まで変化させた後は、供給電圧切換部９を定電圧発生部７側に切り換える。インピーダンスマッチング部２に定電圧を供給しても信号復調部４がエラー信号を出力し続ける場合は、供給電圧切換部９を可変電圧発生部７側に切り換え、交流信号をインピーダンスマッチング部２に供給する。そして、交流信号の周波数を変更する。
【００５７】
このように、受信装置を携帯している人の歩く速さが変わり、アンテナ１と人体との距離の変化する速度が変化しても、受信装置は、可変容量コンデンサに供給する可変電圧の周波数を変更し、インピーダンスを適合させることができるため、信号の反射量を少なくし、音声が途切れたり、表示部に表示される文字が消えたり、間違った文字を表示することを低減することができる。
【００５８】
【発明の効果】
本発明によれば、受信装置において、アンテナのインピーダンスを変化させることにより、信号の反射量を少なくし、音声が途切れたり、表示部に表示される文字が消えたり、間違った文字を表示することを低減することができる。
【図面の簡単な説明】
【図１】本発明の受信装置の一実施例の概略構成を示す図。
【図２】本実施例の受信装置の動作を説明するための図。
【図３】本発明の受信装置の他の実施例の概略構成を示す図。
【図４】本発明の他の実施例における無線信号と交流信号との関係を示す図。
【図５】本発明の他の実施例におけるインピーダンスマッチング部に供給する電圧を示す図。
【図６】受信装置と人体との距離の関係を示す図。
【符号の説明】
１・・・アンテナ、２・・・インピーダンスマッチング部、３・・・信号増幅部、４・・・信号復調部、５・・・出力部、６・・・メモリ部、７・・・定電圧発生部、８・・・可変電圧発生部、９・・・供給電圧切換部、１０・・・制御部、１１・・・タイマ、１２・・・受信装置、１３・・・アンテナ、１４・・・人体。
【図１】
2004072284.tif 000003
【図２】
2004072284.tif 000004
【図３】
2004072284.tif 000005
【図４】
2004072284.tif 000006
【図５】
2004072284.tif 000007
【図６】
2004072284.tif 000008